(57)【要約】【課題】対象物の時間の変化に伴って適切な情報を提供する。【解決手段】配信装置１は、対象物の状態を示す状態情報と、当該対象物が当該状態となった時期を示す時期情報とを取得する取得部１３１と、取得された状態情報及び時期情報に基づいて、対象物の現在の状態を推定する推定部１３２と、複数の記事情報を記憶する記憶部１２と、推定された対象物の現在の状態に基づいて、記憶部１２から配信対象の記事情報を抽出する抽出部１３３と、抽出された記事情報を端末に配信する配信部１３４と、を備える。【選択図】図２
2017068554.tif 000002
【特許請求の範囲】
【請求項１】
対象物の状態を示す状態情報と、当該対象物が当該状態となった時期を示す時期情報とを取得する取得部と、
取得された前記状態情報及び前記時期情報に基づいて、前記対象物の現在の状態を推定する推定部と、
複数の記事情報を記憶する記憶部と、
推定された前記対象物の現在の状態に基づいて、前記記憶部から配信対象の記事情報を抽出する抽出部と、
抽出された記事情報を端末に配信する配信部と、
を備える配信装置。
【請求項２】
前記記憶部は、記事情報と、当該記事情報が属するカテゴリとを関連付けて記憶するとともに、対象物の状態と、配信される複数の記事情報が属する前記カテゴリの配分とを関連付けて記憶し、
前記抽出部は、推定された前記対象物の現在の状態に対応する前記カテゴリの配分に基づいて前記記憶部から配信対象の記事情報を抽出する、
請求項１に記載の配信装置。
【請求項３】
前記記憶部は、前記端末のユーザごとに、前記対象物の現在の状態と、前記カテゴリの配分とを関連付けて記憶し、
前記抽出部は、前記端末からキーワードを受け付け、前記記憶部から、当該キーワードに関連する記事情報を抽出し、
前記キーワードに基づいて、当該キーワードを入力した前記端末のユーザに対応する前記カテゴリの配分を調整する調整部とを備える、
請求項２に記載の配信装置。
【請求項４】
前記記憶部は、複数の対象物のそれぞれに対応して、前記対象物の状態にかかわらず配信される記事情報が属するカテゴリである固定カテゴリを記憶し、
前記抽出部は、推定された前記対象物の現在の状態に対応する前記カテゴリの配分に基づいて前記記憶部から配信対象の記事情報を抽出するとともに、当該対象物に対応する前記固定カテゴリに属する記事情報を前記記憶部から抽出する、
請求項２又は３に記載の配信装置。
【請求項５】
前記取得部は、時期が所定期間以上離れた複数の前記時期情報と、当該複数の時期情報に対応する複数の前記状態情報を取得し、
前記推定部は、前記取得部が取得した複数の前記時期情報及び前記状態情報に基づいて、前記対象物の現在の状態を推定する、
請求項１から４のいずれか１項に記載の配信装置。
【請求項６】
前記記憶部は、複数の広告情報を記憶し、
前記抽出部は、推定された前記対象物の現在の状態に基づいて、前記記憶部から配信対象の記事情報及び広告情報を抽出し、
前記配信部は、抽出された記事情報及び広告情報を前記端末に配信する、
請求項１から５のいずれか１項に記載の配信装置。
【請求項７】
前記抽出部は、推定された前記対象物の現在の状態に基づいて抽出された記事情報に基づいて、前記記憶部から広告情報を抽出する、
請求項６に記載の配信装置。
【請求項８】
前記記憶部は、推定した前記対象物の現在の状態を記憶し、
前記推定部は、所定時間おきに前記対象物の現在の状態を推定し、推定した前記対象物の現在の状態と、前記記憶部に記憶されている前記対象物の現在の状態とが異なる場合に、前記記憶部に記憶されている前記対象物の現在の状態を、推定した前記対象物の現在の状態に更新するとともに、前記対象物の現在の状態が変化したことを前記端末に通知する
請求項１から７のいずれか１項に記載の配信装置。
【請求項９】
前記記憶部は、推定した前記対象物の現在の状態を記憶し、
前記推定部は、所定時間おきに前記対象物の現在の状態を推定し、推定した前記対象物の現在の状態と、前記記憶部に記憶されている前記対象物の現在の状態とが異なる場合に、前記対象物の現在の状態が変化したか否かを前記端末から受け付けることにより、前記記憶部に記憶されている前記対象物の現在の状態を更新する、
請求項１から８のいずれか１項に記載の配信装置。
【請求項１０】
前記取得部は、前記端末から、前記端末のユーザの関係者を識別する関係者識別情報を取得し、
前記配信部は、前記関係者識別情報に基づいて、選択された前記記事情報の少なくとも一部を前記関係者の端末に配信する、
請求項１から９のいずれか１項に記載の配信装置。
【請求項１１】
コンピュータにより実行される、
対象物の状態を示す状態情報と、当該対象物が当該状態となった時期を示す時期情報とを取得するステップと、
取得された前記状態情報及び前記時期情報に基づいて、前記対象物の現在の状態を推定するステップと、
推定された前記対象物の現在の状態に基づいて、複数の記事情報を記憶する記憶部から配信対象の記事情報を抽出するステップと、
抽出された記事情報を端末に配信するステップと、
を備える配信方法。
【発明の詳細な説明】
【技術分野】
【０００１】
本発明は、配信装置及び配信方法に関する。
【背景技術】
【０００２】
従来、ユーザが選択した条件や、ユーザが閲覧したコンテンツから推測される趣味嗜好から選択された条件に基づいて抽出した情報をユーザに提供するキュレーションサービスが知られている（例えば、特許文献１参照）。
【先行技術文献】
【特許文献】
【０００３】
【特許文献１】特開２０１５−１３８５００号公報
【発明の概要】
【発明が解決しようとする課題】
【０００４】
しかしながら、従来のキュレーションサービスでは、時間に変化に伴ってユーザが所望する情報が変化する対象物が条件として設定された場合には、時間の変化に伴って適切な情報をユーザに提供することができないという問題が生じていた。
【０００５】
例えば、ユーザが、子供やダイエットについての情報の提供を希望する場合、従来のキュレーションサービスでは、子供やダイエットに関する情報を提供することはできるものの、子供の成長状況やダイエットの進捗状況に合わせて適切な情報を提供することができないという問題があった。
【０００６】
そこで、本発明はこれらの点に鑑みてなされたものであり、対象物の時間の変化に伴って適切な情報を提供することができる配信装置及び配信方法を提供することを目的とする。
【課題を解決するための手段】
【０００７】
本発明の第１の態様に係る配信装置は、対象物の状態を示す状態情報と、当該対象物が当該状態となった時期を示す時期情報とを取得する取得部と、取得された前記状態情報及び前記時期情報に基づいて、前記対象物の現在の状態を推定する推定部と、複数の記事情報を記憶する記憶部と、推定された前記対象物の現在の状態に基づいて、前記記憶部から配信対象の記事情報を抽出する抽出部と、抽出された記事情報を端末に配信する配信部と、を備える。
【０００８】
前記記憶部は、記事情報と、当該記事情報が属するカテゴリとを関連付けて記憶するとともに、対象物の状態と、配信される複数の記事情報が属する前記カテゴリの配分とを関連付けて記憶し、前記抽出部は、推定された前記対象物の現在の状態に対応する前記カテゴリの配分に基づいて前記記憶部から配信対象の記事情報を抽出してもよい。
【０００９】
前記記憶部は、前記端末のユーザごとに、前記対象物の現在の状態と、前記カテゴリの配分とを関連付けて記憶し、前記抽出部は、前記端末からキーワードを受け付け、前記記憶部から、当該キーワードに関連する記事情報を抽出し、前記キーワードに基づいて、当該キーワードを入力した前記端末のユーザに対応する前記カテゴリの配分を調整する調整部とを備えてもよい。
【００１０】
前記記憶部は、複数の対象物のそれぞれに対応して、前記対象物の状態にかかわらず配信される記事情報が属するカテゴリである固定カテゴリを記憶し、前記抽出部は、推定された前記対象物の現在の状態に対応する前記カテゴリの配分に基づいて前記記憶部から配信対象の記事情報を抽出するとともに、当該対象物に対応する前記固定カテゴリに属する記事情報を前記記憶部から抽出してもよい。
【００１１】
前記取得部は、時期が所定期間以上離れた複数の前記時期情報と、当該複数の時期情報に対応する複数の前記状態情報を取得し、前記推定部は、前記取得部が取得した複数の前記時期情報及び前記状態情報に基づいて、前記対象物の現在の状態を推定してもよい。
【００１２】
前記記憶部は、複数の広告情報を記憶し、前記抽出部は、推定された前記対象物の現在の状態に基づいて、前記記憶部から配信対象の記事情報及び広告情報を抽出し、前記配信部は、抽出された記事情報及び広告情報を前記端末に配信してもよい。
前記抽出部は、推定された前記対象物の現在の状態に基づいて抽出された記事情報に基づいて、前記記憶部から広告情報を抽出してもよい。
【００１３】
前記記憶部は、推定した前記対象物の現在の状態を記憶し、前記推定部は、所定時間おきに前記対象物の現在の状態を推定し、推定した前記対象物の現在の状態と、前記記憶部に記憶されている前記対象物の現在の状態とが異なる場合に、前記記憶部に記憶されている前記対象物の現在の状態を、推定した前記対象物の現在の状態に更新するとともに、前記対象物の現在の状態が変化したことを前記端末に通知してもよい。
【００１４】
前記記憶部は、推定した前記対象物の現在の状態を記憶し、前記推定部は、所定時間おきに前記対象物の現在の状態を推定し、推定した前記対象物の現在の状態と、前記記憶部に記憶されている前記対象物の現在の状態とが異なる場合に、前記対象物の現在の状態が変化したか否かを前記端末から受け付けることにより、前記記憶部に記憶されている前記対象物の現在の状態を更新してもよい。
【００１５】
前記取得部は、前記端末から、前記端末のユーザの関係者を識別する関係者識別情報を取得し、前記配信部は、前記関係者識別情報に基づいて、選択された前記記事情報の少なくとも一部を前記関係者の端末に配信してもよい。
【００１６】
本発明の第２の態様に係る配信方法は、コンピュータにより実行される、対象物の状態を示す状態情報と、当該対象物が当該状態となった時期を示す時期情報とを取得するステップと、取得された前記状態情報及び前記時期情報に基づいて、前記対象物の現在の状態を推定するステップと、推定された前記対象物の現在の状態に基づいて、複数の記事情報を記憶する記憶部から配信対象の記事情報を抽出するステップと、抽出された記事情報を端末に配信するステップと、を備える。
【発明の効果】
【００１７】
本発明によれば、対象物の時間の変化に伴って適切な情報を提供することができるという効果を奏する。
【図面の簡単な説明】
【００１８】
【図１】第１実施形態に係る配信システムの概要を示す図である。
【図２】第１実施形態に係る配信装置の構成を示す図である。
【図３】記事情報とカテゴリとを関連付けた情報の一例を示す図である。
【図４】ユーザごとの対象物に関する情報の一例を示す図である。
【図５】状態特定用情報の一例を示す図である。
【図６Ａ】配分情報の一例を示す図である。
【図６Ｂ】配分情報の他の一例を示す図である。
【図７】ユーザ端末に記事情報を含むページが表示された例を示す図である。
【図８】配信装置がユーザ端末に記事情報を配信する際の処理の流れを示すシーケンス図である。
【図９】ユーザ端末に通知されるメッセージの一例である。
【図１０】第３実施形態に係る配信装置の構成を示す図である。
【発明を実施するための形態】
【００１９】
＜第１実施形態＞
［配信システムＳの構成］
図１は、第１実施形態に係る配信システムＳの概要を示す図である。
配信システムＳは、配信装置１と、ユーザ端末２とを備えており、ユーザが選択した条件や、ユーザが閲覧したコンテンツから推測される趣味嗜好から選択された条件に基づいて抽出した情報をユーザに提供するキュレーションサービスを提供するシステムである。ここで、対象物は、時間の経過に従って状態が変化する人、物、イベント、行為等である。例えば、対象物としては、子供、野菜等の植物、ダイエット、及びトレーニング等が挙げられる。
【００２０】
配信装置１は、制御部や記憶部を備えたサーバであり、ユーザ端末２は、制御部や記憶部を備えた、スマートフォン等の携帯電話機や、パソコン等の固定端末である。ユーザ端末２は、携帯電話回線やインターネット等の通信ネットワークを介して配信装置１と通信を行う。
【００２１】
配信装置１は、ユーザ端末２から、ユーザのキュレーションサービスの利用開始時に、ユーザに対応する対象物の状態を示す状態情報と、当該対象物が当該状態となった時期を示す時期情報とを受け付ける（図１の（１））。配信装置１は、ユーザ端末２から受け付けた対象物の状態情報及び時期情報に基づいて、当該対象物の現在の状態を推定する（図１の（２））。配信装置１は、推定した対象物の現在の状態に基づいて、記事の本文や記事のタイトルを示す記事情報を抽出し（図１の（３））、抽出した記事情報を当該対象物に対応するユーザのユーザ端末２に配信する（図１の（４））。
【００２２】
このようにすることで、配信装置１は、ユーザに対応する対象物の現在の状態に基づいて配信する記事情報を変化させるので、対象物の時間の変化に伴い、適切な情報をユーザに提供することができる。
続いて、配信装置１の構成について説明する。
【００２３】
［配信装置１の構成］
図２は、第１実施形態に係る配信装置１の構成を示す図である。配信装置１は、通信部１１と、記憶部１２と、制御部１３とを備える。
【００２４】
通信部１１は、携帯電話回線やインターネット等の通信ネットワークを介してユーザ端末２と通信を行う。
記憶部１２は、例えば、ＲＯＭ、ＲＡＭ及びハードディスク等である。記憶部１２は、配信装置１を機能させるための各種プログラムを記憶する。記憶部１２は、配信装置１の制御部１３を、取得部１３１、推定部１３２、抽出部１３３、及び配信部１３４として機能させる配信プログラムを記憶する。記憶部１２は、外部メモリ等の記憶媒体に記憶されたプログラムを読み取って記憶してもよく、通信ネットワークを介して外部機器からダウンロードされたプログラムを記憶してもよい。
【００２５】
また、記憶部１２は、ユーザ端末２に配信する対象である記事情報と、当該記事情報が属するカテゴリとを関連付けて記憶する。図３は、記事情報とカテゴリとを関連付けた情報の一例を示す図である。図３に示すように、記事情報には、記事タイトルと、記事本文とが含まれている。なお、記事情報及びカテゴリは通信ネットワークを介して通信可能な外部のサーバに記憶されていてもよい。この場合、配信装置１は、記憶部１２ではなく外部のサーバを参照して記事情報を取得してもよい。
【００２６】
制御部１３は、例えば、ＣＰＵである。制御部１３は、記憶部１２に記憶されている各種プログラムを実行することにより、配信装置１に係る機能を制御する。制御部１３は、取得部１３１と、推定部１３２と、抽出部１３３と、配信部１３４とを備える。
【００２７】
取得部１３１は、対象物の状態を示す状態情報と、当該対象物が当該状態となった時期を示す時期情報とを取得する。例えば、取得部１３１は、ユーザ端末２のユーザがキュレーションサービスの利用を開始する時に、対象物の名称、当該対象物に対応する状態情報及び時期情報を受け付ける受付画面をユーザ端末２に表示させる。そして、取得部１３１は、当該受付画面を介して、ユーザ端末２のユーザから対象物の名称と、当該対象物に対応する状態情報及び時期情報とを受け付ける。ここで、取得部１３１は、受付画面において、複数の対象物の名称のうち、いずれかの対象物の名称の選択を受け付けることにより、対象物の名称を取得するようにしてもよい。
【００２８】
取得部１３１は、ユーザ端末２から、対象物の名称と、状態情報と、時期情報とを取得すると、キュレーションサービスの利用開始時にユーザに割り当てられたユーザ識別情報と、対象物の名称と、状態情報と、時期情報とを関連付けて記憶部１２に記憶させる。図４は、ユーザごとの対象物に関する情報の一例を示す図である。図４では、ユーザ識別情報と、対象物に関する情報としての対象物の名称、状態情報、及び時期情報とが関連付けられていることが確認できる。
【００２９】
なお、取得部１３１は、同一の対象物に対応する、時期が所定期間以上離れた複数の時期情報と、当該複数の時期情報に対応する複数の状態情報を取得してもよい。この場合、取得部１３１は、ユーザ識別情報と、対象物の名称とに、複数の状態情報及び時期情報を関連付けて記憶してもよい。
【００３０】
また、取得部１３１は、ユーザ端末２から、対象物の名称、当該対象物に対応する状態情報及び時期情報を受け付けたがこれに限らない。取得部１３１は、ユーザのキュレーションサービスの開始時に、ユーザ端末２からユーザの趣味嗜好を受け付けてもよい。そして、取得部１３１は、受け付けた趣味嗜好に対応する対象物をユーザに対応する対象物と特定し、当該対象物に対応する状態情報及び時期情報を取得してもよい。例えば、ユーザの趣味嗜好に動物が含まれている場合に、対象物を、動物園で生まれたパンダの赤ちゃんとし、当該対象物の状態情報及び時期情報をニュースサイト等から取得するようにしてもよい。
【００３１】
推定部１３２は、取得された状態情報及び時期情報に基づいて、対象物の現在の状態を推定する。例えば、配信装置１は、図５に示すように、対象物の名称と、初期状態からの経過時間と、対象物の状態とを関連付けた状態特定用情報を記憶部１２に記憶させておく。推定部１３２は、例えば、ユーザ端末２から、ユーザ識別情報を含む記事情報の取得要求を受信すると、取得部１３１が取得した状態情報及び時期情報と、状態特定用情報とに基づいて、現在の対象物の状態を推定する。
【００３２】
例えば、図４に示すように、ユーザ識別情報「Ｕ００１」に対応する対象物が「子供」であり、２０１５年３月１５日に妊娠した場合において、現在が２０１５年１０月１日である場合について説明する。この場合、推定部１３２は、ユーザ識別情報「Ｕ００１」に対応する対象物「子供」の現在の状態を、「妊娠（中期）」と推定する。
【００３３】
なお、取得部１３１が、時期が所定期間以上離れた複数の時期情報と、当該複数の時期情報に対応する複数の状態情報とを取得した場合、推定部１３２は、当該複数の時期情報及び状態情報に基づいて対象物の現在の状態を推定してもよい。
【００３４】
例えば、対象物が野菜である場合において、取得部１３１が、ユーザ端末２から状態情報「発芽」及び時期情報「発芽日」と、状態情報「開花」及び時期情報「開花日」を取得しているものとする。この場合、記憶部１２に、地域ごとの野菜の生育状況を示す情報を記憶させておき、推定部１３２は、取得部１３１が取得した発芽日及び開花日に基づいて、ユーザ端末２から受け付けた対象物「野菜」に対応する地域を特定し、当該地域における野菜の現在の状態を推定してもよい。
【００３５】
また、記憶部１２に、基準とされる野菜の生育状態を示す情報を記憶させておき、推定部１３２が、取得部１３１が取得した野菜の発芽日及び開花日と、基準とされる野菜の発芽日及び開花日との差異を算出してもよい。そして、推定部１３２は、算出した差異と、基準とされる生育状態とに基づいて、ユーザの野菜の現在の状態を推定してもよい。
【００３６】
例えば、推定部１３２は、算出した差異に基づいて、基準とされる生育状態を、ユーザの野菜に対応する生育状態に変換する。そして、推定部１３２は、ユーザの野菜に対応する生育状態に基づいて、ユーザの野菜の現在の状態を推定する。
【００３７】
抽出部１３３は、推定された対象物の現在の状態に基づいて、記憶部１２からユーザ端末２に配信する配信対象の記事情報を抽出する。例えば、配信装置１は、対象物の名称と、対象物の状態と、記事情報が属するカテゴリ配分とを関連付けた配分情報を記憶部１２に記憶させておく。図６Ａは、配分情報の一例を示す図である。図６Ａに示すように、カテゴリ配分には、一度にユーザ端末２に配信する記事に関して、複数のカテゴリと、記事の配信数に対する当該複数のカテゴリのそれぞれに属する記事の割合とが含まれている。例えば、図６Ａにおいて、対象物「子供」の現在の状態が「妊娠（初期）」であるとき、ユーザ端末２に一度に配信する記事情報として抽出される記事情報のカテゴリ「食事（妊娠時）」、「体調（妊娠時）」、「赤ちゃんの成長」の配分が２：４：４であることを示している。
【００３８】
抽出部１３３は、配分情報を参照し、推定部１３２が推定した対象物の現在の状態に対応するカテゴリの配分を特定し、当該カテゴリの配分に基づいて記憶部１２から配信対象の記事情報及び当該記事情報のカテゴリを抽出する。ここで、抽出部１３３は、カテゴリの配分に基づいて、予め定められた所定数以上の記事情報を抽出するものとする。なお、所定数は、ユーザ端末２のユーザによって設定されるようにしてもよい。また、カテゴリ配分が示す記事の割合は、所定期間（例えば、１週間）又は所定回数（例えば、５回）においてユーザ端末２に配信される記事における、複数のカテゴリのそれぞれに属する記事の割合であってもよい。
【００３９】
例えば、推定部１３２が、ユーザ識別情報「Ｕ００１」に対応する対象物「子供」の現在の状態を「妊娠（中期）」と推定した場合には、抽出部１３３は、配信される記事情報に、カテゴリ「食事（妊娠時）」、「体調（妊娠時）」、「赤ちゃんの成長」に対応する記事情報が、３：４：３で含まれるように記事情報を抽出する。
【００４０】
なお、配信装置１は、図６Ｂに示すように、対象物の名称と、対象物の状態と、記事情報が属するカテゴリ配分と、固定カテゴリとを関連付けて記憶するようにしてもよい。ここで、固定カテゴリは、複数の対象物のそれぞれに対して、当該対象物の状態にかかわらず配信される記事情報が属するカテゴリである。
【００４１】
この場合において、抽出部１３３は、推定された対象物の現在の状態に対応するカテゴリの配分に基づいて記憶部１２から配信対象の記事情報を抽出するとともに、当該対象物に対応する固定カテゴリに属する記事情報を記憶部１２から抽出してもよい。例えば、抽出部１３３は、ユーザ端末２に配信する記事情報として、固定カテゴリに属する記事情報を予め定められた数だけ記憶部１２から抽出してもよい。
このようにすることで、配信装置１は、対象物の時間変化に関わらず固定カテゴリに属する記事情報を配信することができる。
【００４２】
配信部１３４は、抽出部１３３が抽出した記事情報を、記事情報の取得要求を送信したユーザ端末２に配信する。例えば、配信部１３４は、抽出部１３３が抽出した記事情報のうち、記事本文に対応するページへのリンクが付された記事タイトルと、抽出部１３３が抽出したカテゴリとを含むページを生成し、当該ページをユーザ端末２に配信する。
ユーザ端末２は、記事情報を含むページを受信すると、記事情報を受信したことをユーザに通知する。ユーザ端末２は、ユーザから所定の操作を受け付けたことに応じて、記事情報を含むページを自身の表示部に表示させる。図７は、ユーザ端末２に記事情報を含むページが表示された例を示す図である。図７に示すように、抽出部１３３が抽出した記事情報の記事タイトルと、当該記事情報のカテゴリとが表示されていることが確認できる。
なお、配信部１３４は、抽出部１３３が抽出した記事情報を、記事情報の取得要求に基づいてユーザ端末２に配信したがこれに限らず、予め設定した配信時刻に抽出した記事情報を配信するようにしてもよい。また、抽出部１３３が配分情報に基づいて定期的に新規の記事を抽出しておき、所定数以上の新規の記事が蓄積された時点などにおいて、配信部１３４が、蓄積された新規の記事をプッシュ配信するようにしてもよい。
【００４３】
さらに、配信部１３４は、抽出部１３３が抽出した記事情報を、記事情報の取得要求を送信したユーザ端末２に配信したが、これに限らない。
例えば、取得部１３１が、ユーザ端末２から、当該ユーザ端末２のユーザの関係者を識別する関係者識別情報を予め取得して、記憶部１２にユーザ識別情報と関係者識別情報とを関連付けて記憶させてもよい。ここで、関係者識別情報は、関係者の端末に対応する電話番号や、メールアドレスや、メッセンジャーのＩＤである。
【００４４】
そして、配信部１３４が、ユーザ端末２のユーザに対応する関係者識別情報に基づいて、抽出部１３３が抽出した記事情報の少なくとも一部を関係者の端末に配信してもよい。例えば、配信部１３４は、記事情報や、記事情報に対応するページを含むメッセージを、ショートメッセージ、又はメールで送信したり、メッセンジャーサービスを用いて関係者の端末に送信したりしてもよい。さらには、関係者の端末にインストールされているキュレーション情報を表示するアプリケーションプログラムに表示可能な場合には、表示対象記事の一つとして、記事を関係者の端末に配信するようにしてもよい。
このようにすることで、配信装置１は、ユーザの関係者に対しても、ユーザに対応する対象物の現在の状況に対応する記事情報を共有させることができる。また、関係者の端末にインストールされているキュレーション情報を表示するアプリケーションプログラムを介して必要な情報を自然に共有することができる。
【００４５】
また、配信部１３４は、関係者の端末において記事情報が閲覧されたことを示す既読情報を関係者の端末から受信してもよい。そして、配信部１３４は、既読情報を受信したことに応じて、関係者の端末において記事情報が閲覧されたことをユーザ端末２に通知してもよい。
このようにすることで、ユーザ端末２のユーザは、自身に対応する対象物の現在の状況に対応する記事情報を関係者が閲覧したことを確認することができるので、例えば当該記事情報を話題として関係者と会話しやすい。
【００４６】
［記事情報を配信する処理の流れ］
続いて、配信装置１が記事情報を配信する際の処理の流れについて説明する。図８は、配信装置１がユーザ端末２に記事情報を配信する際の処理の流れを示すシーケンス図である。なお、図８に示すシーケンスにおいて、Ｓ３からＳ５の処理は、繰り返し行われるものとする。
【００４７】
まず、ユーザ端末２は、キュレーションサービスの利用を開始する時に、ユーザから、対象物の名称、状態情報、及び時期情報を受け付ける（Ｓ１）。ユーザ端末２は、受け付けた対象物の名称、状態情報、及び時期情報を配信装置１に送信する。
配信装置１の取得部１３１は、ユーザ端末２から受信した対象物の名称、状態情報、及び時期情報を、ユーザ端末２のユーザのユーザ識別情報と関連付けて記憶部１２に記憶させる（Ｓ２）。
【００４８】
続いて、配信装置１の推定部１３２は、ユーザ端末２から記事情報の取得要求を受信する。当該取得要求にはユーザ識別情報が含まれている。推定部１３２は、記憶部１２を参照し、当該ユーザ識別情報に対応する対象物の名称、状態情報、及び時期情報に基づいて、当該対象物の現在の状態を推定する（Ｓ３）。
【００４９】
続いて、抽出部１３３は、記憶部１２に記憶されている配分情報を参照し、推定された対象物の現在の状態に関連付けられているカテゴリの配分を特定する。そして、抽出部１３３は、特定したカテゴリの配分に基づいて、記憶部１２から記事情報を抽出する（Ｓ４）。続いて、配信部１３４は、抽出した記事情報を、記事情報の取得要求を送信したユーザ端末２に配信する。
ユーザ端末２は、記事情報を自身の表示部に表示させる（Ｓ５）。
【００５０】
［第１実施形態における効果］
以上説明したように、第１実施形態に係る配信装置１は、ユーザに対応する対象物の状態を示す状態情報と、当該対象物が当該状態となった時期を示す時期情報とに基づいて、対象物の現在の状態を推定し、推定した対象物の現在の状態に基づいて記憶部１２から抽出した記事情報をユーザ端末２に配信する。
【００５１】
このようにすることで、配信装置１は、ユーザに対応する対象物の現在の状態に基づいて配信する記事情報を変化させるので、対象物の時間の変化に伴い、適切な情報をユーザに提供することができる。
【００５２】
＜第２実施形態＞
［推定した対象物の現在の状態が変化したことをユーザに通知する］
続いて、第２実施形態に係る配信システムＳについて説明する。第２実施形態に係る配信システムＳにおいて、配信装置１は、所定時間おきに複数のユーザのそれぞれに対応する対象物の現在の状態を推定し、推定した現在の状態が、前回推定した状態から変化したことに応じて、推定した対象物の現在の状態が変化したことをユーザに通知する点で第１の実施形態と異なる。以下、第１実施形態と異なる部分について説明を行う。第１実施形態と同じ部分については適宜説明を省略する。
【００５３】
第２実施形態において、推定部１３２は、ユーザ識別情報と、推定した対象物の現在の状態とを関連付けて記憶部１２に記憶させる。
また、推定部１３２は、所定時間おき（例えば１日おき）に、複数のユーザのそれぞれに対応する対象物の現在の状態を推定する。そして、推定部１３２は、推定した対象物の現在の状態と、記憶部１２に記憶されている対象物の現在の状態とが異なる場合に、記憶部１２に記憶されている対象物の現在の状態を、推定した対象物の現在の状態に更新するとともに、対象物の現在の状態が変化したことをユーザ端末２に通知する。
【００５４】
図９は、ユーザ端末２に通知されるメッセージの一例を示す図である。図９（ａ）は、対象物の現在の状態が変化したことを通知するメッセージである。ユーザは、当該メッセージを確認することにより、配信装置１から配信される記事情報が変化することを確認することができる。
【００５５】
なお、推定部１３２は、推定した対象物の現在の状態と、記憶部１２に記憶されている対象物の現在の状態とが異なる場合に、記憶部１２に記憶されている対象物の現在の状態を、推定した対象物の現在の状態に更新することとしたが、これに限らない。例えば、推定部１３２は、推定した対象物の現在の状態と、記憶部１２に記憶されている対象物の現在の状態とが異なる場合に、対象物の現在の状態が変化したか否かをユーザ端末２から受け付けてもよい。そして、推定部１３２は、対象物の現在の状態が変化したことをユーザ端末２から受け付けたことに応じて、記憶部１２に記憶されている対象物の現在の状態を更新するようにしてもよい。
【００５６】
図９（ｂ）は、配信装置１において管理されている対象物の現在の状態が変化したことを示すとともに、現在の状態が変化しているか否かの確認を受け付けるメッセージである。図９（ｂ）に示す例では、「いいえ」ボタンが表示されており、当該ボタンが押下されると、推定部１３２は、ユーザ端末２から、対象物の現在の状態を受け付ける。これにより、ユーザは、当該メッセージを確認することにより、配信装置１において管理されている対象物の現在の状態が、実際の状態と合っているか否かを確認するとともに、実際の状態と合っていない場合に、配信装置１において管理されている対象物の現在の状態を訂正することができる。
【００５７】
抽出部１３３は、例えば、ユーザ端末２から、ユーザ識別情報を含む記事情報の取得要求を受信すると、記憶部１２において、当該ユーザ識別情報に関連付けられている対象物の現在の状態を特定し、当該現在の状態に基づいて記憶部１２から配信対象の記事情報を抽出する。
【００５８】
［第２実施形態における効果］
以上説明したように、第２実施形態に係る配信装置１は、所定時間おきに推定した対象物の現在の状態と、記憶部１２に記憶されている対象物の現在の状態とが異なる場合に、対象物の現在の状態が変化したことをユーザ端末２に通知するので、ユーザ端末２のユーザに、配信装置１において推定されている対象物の現在の状態を確認させることができる。
【００５９】
また、配信装置１は、対象物の現在の状態が変化したことをユーザ端末２から受け付けたことに応じて、記憶部１２に記憶されている対象物の現在の状態を更新するので、記憶部１２に記憶されている対象物の現在の状態を正しい状態に維持することができる。
【００６０】
なお、配信装置１は、推定部１３２が推定した対象物の現在の状態が変化したことをユーザ端末２のユーザ、又はユーザの関係者が使用するスケジュールアプリケーション等の他のアプリケーションに通知するようにしてもよい。このようにすることで、配信装置１は、他のアプリケーションを介して、ユーザ端末２のユーザ、又はユーザの関係者の間で対象物の現在の状態が変化したことを共有させることができる。
【００６１】
＜第３実施形態＞
［ユーザが検索したキーワードに基づいてカテゴリの配分を調整する］
続いて、第３実施形態に係る配信システムＳについて説明する。第３実施形態に係る配信システムＳにおいて、配信装置１は、ユーザ端末２から記事情報を検索するためのキーワードを受け付け、当該キーワードに対応する記事情報をユーザ端末２に送信するとともに、当該キーワードに基づいてカテゴリの配分を調整する点で第１の実施形態と異なる。
【００６２】
図１０は、第３実施形態に係る配信装置１の構成を示す図である。第３実施形態において、制御部１３は、調整部１３５をさらに備える。
第３実施形態において、抽出部１３３は、記憶部１２に記憶されている配分情報を参照し、推定された対象物の現在の状態に対応するカテゴリの配分を特定すると、当該対象物に対応するユーザのユーザ識別情報と、カテゴリの配分とを関連付けて記憶部１２に記憶する。
【００６３】
また、抽出部１３３は、ユーザ端末２から、記事情報を検索するためのキーワードと、ユーザ識別情報とを受け付ける。抽出部１３３は、記憶部１２を参照し、受け付けたキーワードに対応する記事情報を抽出し、当該記事情報をユーザ端末２に送信する。
【００６４】
調整部１３５は、抽出部１３３がユーザ端末２からキーワードと、ユーザ識別情報とを受け付けると、当該キーワードを入力したユーザに対応するカテゴリの配分を調整する。具体的には、調整部１３５は、受け付けたキーワードに基づいて、記憶部１２に記憶されている当該ユーザ識別情報に関連付けられているカテゴリの配分を調整する。例えば、調整部１３５は、受け付けたキーワードに対応する記事情報が属しているカテゴリを特定し、当該カテゴリをユーザが興味を示しているカテゴリと推定する。そして、調整部１３５は、ユーザが興味を示していると推定されたカテゴリに対応する記事情報が多く配信されるように、カテゴリの配分を調整する。
【００６５】
そして、抽出部１３３は、ユーザ端末２から、ユーザ識別情報を含む記事情報の取得要求を受信すると、記憶部１２において、当該ユーザ識別情報に関連付けられているカテゴリの配分に基づいて記憶部１２から配信対象の記事情報を抽出する。
【００６６】
［第３実施形態における効果］
以上説明したように、第３実施形態に係る配信装置１は、ユーザ端末２から受け付けたキーワードに基づいてユーザに配信する記事情報のカテゴリの配分を調整する。このようにすることで、配信装置１は、ユーザが関心を有しているキーワードに対応するカテゴリの記事情報を相対的に多く配信することができる。
【００６７】
＜第４実施形態＞
［記事情報とともに広告を配信する］
続いて、第４実施形態に係る配信システムＳについて説明する。第４実施形態に係る配信システムＳにおいて、配信装置１は、ユーザ端末２に、記事情報とともに広告情報を配信する点で第１の実施形態と異なる。
【００６８】
第４実施形態において、記憶部１２は、広告情報と、対象物の現在の状態を示す状態情報とを関連付けて記憶する。そして、抽出部１３３は、推定部１３２が推定した対象物の現在の状態に基づいて、記憶部１２から記事情報及び広告情報を抽出する。
例えば、記憶部１２には、対象物「子供」の複数の状態のそれぞれに、当該状態に対応するサイズのおむつに関する広告情報が関連付けられているものとする。この場合において、抽出部１３３は、ユーザに対応する対象物が「子供」であるとき、子供の成長状況に対応するサイズのおむつの広告情報を抽出する。
その後、配信部１３４は、抽出部１３３が抽出した記事情報及び広告情報をユーザ端末２に送信する。
【００６９】
なお、抽出部１３３は、抽出した記事情報に基づいて、記憶部１２から広告情報を抽出してもよい。この場合、記憶部１２に、広告情報と、広告情報を抽出するキーワードとを関連付けて記憶させておく。抽出部１３３は、抽出した記事情報に含まれているキーワードに関連付けられている広告情報を抽出する。
【００７０】
［第４実施形態における効果］
以上説明したように、第４実施形態に係る配信装置１は、推定された対象物の現在の状態に基づいて抽出した広告情報をユーザ端末２に配信するので、ユーザは、自身に対応する対象物に適した広告を閲覧することができる。
【００７１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００７２】
１・・・配信装置、１１・・・通信部、１２・・・記憶部、１３・・・制御部、１３１・・・取得部、１３２・・・推定部、１３３・・・抽出部、１３４・・・配信部、１３５・・・調整部、２・・・ユーザ端末、Ｓ・・・配信システム
【図１】
2017068554.tif 000003
【図２】
2017068554.tif 000004
【図３】
2017068554.tif 000005
【図４】
2017068554.tif 000006
【図５】
2017068554.tif 000007
【図６Ａ】
2017068554.tif 000008
【図６Ｂ】
2017068554.tif 000009
【図７】
2017068554.tif 000010
【図８】
2017068554.tif 000011
【図９】
2017068554.tif 000012
【図１０】
2017068554.tif 000013